(57)【要約】      （修正有）【課題】構造を簡素にして組立てにかかる時間を短縮させたディスクカートリッジを提供する。【解決手段】ディスクカートリッジは、アクセス用の開口が形成されたケース１４と、それぞれ略平板状に形成されて開口を開閉する一対のシャッター部材１８と、を備えている。シャッター部材１８には、それぞれ、スリット状のカム溝６６が形成されている。また、ケース１４は上シェル２４と下シェルとで構成され、上シェル２４には、カム溝６６に係合してシャッター部材１８を開閉方向に案内する案内部３１が設けられている。この案内部３１は、カム溝６６に挿通されるカム突起３１Ｔと、シャッター部材１８の表面に沿ってシャッター部材１８の外周の外側にまで延出し、カム突起３１Ｔを支持する腕部３１Ｓと、シャッター部材１８の外周の外側に設けられ、上シェル２４に嵌合された延出し部３１Ｃと、を有する。【選択図】図２
2005129137.tif 000002
【特許請求の範囲】
【請求項１】
第１シェル部材、及び、前記第１シェル部材に対向する第２シェル部材を有し、シェル内に収容されたディスクメディアへのアクセス用の開口が第２シェル部材に形成されているケースと、
それぞれ略平板状に形成されて、前記第２シェル部材と前記ディスクメディアとの間に配置され、互いに接離して前記開口を開閉する一対のシャッター部材と、
前記シャッター部材と前記第１シェル部材との間に配置され、前記ディスクメディアを回転可能に収容すると共に、ドライブ装置から回動力を受けて回動することにより前記シャッター部材に開閉力を与えるインナロータと、を備え、
前記シャッター部材には、それぞれ、前記第２シェル部材側にカム部が設けられ、
前記第１シェル部材には、前記シャッター部材に開閉力が作用するように前記カム部をそれぞれ案内する案内部が設けられ、
前記案内部は、前記カム部と係合する係合部材と、
前記シャッター部材の前記第２シェル部材側の表面に沿って、前記係合部材から前記シャッター部材の外周の外側にまで延び出す腕部材と、
前記シャッター部材の外周の外側に設けられ、前記第１シェル部材に前記腕部材を固定する固定部材と、を有することを特徴とするディスクカートリッジ。
【請求項２】
前記インナロータに支持点を設け、前記シャッター部材を前記支持点回りに回動可能としたことを特徴とする請求項１に記載のディスクカートリッジ。
【請求項３】
前記係合部材、前記腕部材、及び前記固定部材が一体的に形成されて、前記固定部材が前記第１シェル部材に嵌め込まれていることを特徴とする請求項１又は２に記載のディスクカートリッジ。
【請求項４】
前記カム部としてスリット状のカム溝を形成し、前記係合部材として前記カム溝に挿通されるカム突起を設けたことを特徴とする請求項３に記載のディスクカートリッジ。
【発明の詳細な説明】
【技術分野】
【０００１】
本発明は、情報や映像の記録再生媒体として用いられる円盤状のディスクメディアをケース内に回転可能に収容したディスクカートリッジに関する。
【背景技術】
【０００２】
例えば、可搬性を有するコンピュータ用の記録再生媒体や映像の記録再生媒体として、光ディスクや光磁気ディスク等の円盤状のディスクメディアが用いられている。このようなディスクメディアは、記録または再生を行なう際には、ディスクドライブ装置に装填された状態でスピンドル軸によって回転されつつ、レーザヘッドによって記録面へレーザ光が照射される。これにより、ディスクメディアでは、記録面の色素層分解によるピット形成や相変化、磁化等によって情報の記録が為され、またはレーザ光の反射率や偏光角の相違に基づいて記録された情報の再生が行われるようになっている。
【０００３】
このようなディスクメディアの高記録容量化に伴い、ディスクメディアの記録面（記録面を被覆するカバー層）への塵埃の付着を防止するために、ディスクメディアをケースの内部に収容したディスクカートリッジが知られている（例えば、特許文献１乃至特許文献４参照）。このようなディスクカートリッジの一例を図８に基づいて説明する。
【０００４】
図８に分解斜視図にて示すディスクカートリッジ２００は、ディスクメディア２０２を回転可能に収容したケース２０４の底板（下シェル）２０４Ａにディスクメディア２０２の軸心部及び記録面にアクセスるするための開口２０６が設けられており、この開口２０６がそれぞれディスクメディア２０２と底板２０４Ａとの間に摺動可能に配設された一対のシャッター部材２０８によって開閉されるようになっている。一対のシャッター部材２０８は、互いに略同形状である略半円状に形成されている。
【０００５】
シャッター部材２０８と対面する底板２０４Ａの内壁面側には一対のカム突起２２７が形成され、各シャッター部材２０８には、各カム突起２２７が入り込むカム溝２２９がそれぞれ設けられている。各カム溝２２９は直線スリット状に形成されており、かつ組付状態で互いに平行となるように設けられている。
【０００６】
すなわち、各カム溝２２９は、各カム突起２２７と同様に、後述のインナロータ２１０の回転中心に対し互いに対称となるように設けられている。また、各カム溝２２９は、シャッター部材２０８を板厚方向に貫通しており、カム突起２２７との係合深さを確保するようになっている。
【０００７】
そして、ディスクメディア２０２とシャッター部材２０８との間には、インナロータ２１０がディスクメディア２０２とは独立して回転可能に配設されている。インナロータ２１０は、その回転軸線に対し互いに対称に位置する一対の支持突起２１０Ａにそれぞれのシャッター部材２０８の一端部に設けられた軸孔２０８Ａを係合させており、各シャッター部材２０８を支持突起２１０Ａ廻りに回動自在に軸支している。
【０００８】
このような構成により、インナロータ２１０がドライブ装置に操作されて回転すると、各シャッター部材２０８は、底板２０４Ａとの間に設けられたカム機構によってそれぞれの支持突起２１０Ａ廻りに回動し、開口２０６を閉塞する閉塞位置と開口２０６を開放する開放位置との間を移動するようになっている。インナロータ２１０は、ディスクメディア２０２の不使用時には図示しないロック部材によって回転が阻止されており、一対のシャッター部材２０８を閉塞位置に保持している。
【特許文献１】特開２００３−１１５１８４号公報
【特許文献２】特開２００３−１１５１８１号公報
【特許文献３】特開２００３−１１５１８２号公報
【特許文献４】特開２００３−１１５１８３号公報
【発明の開示】
【発明が解決しようとする課題】
【０００９】
ところで、このようなディスクカートリッジは、近年、ますます高記録密度化が進んでおり、これに伴い、ディスクカートリッジに様々な防塵対策が施されたため、ディスクカートリッジの構造が複雑化している。このため、ディスクカートリッジの組立時の工数が増大し、製造効率が下がっているという問題があった。
【００１０】
本発明は上記事実を考慮し、構造を簡素にして組立てにかかる時間を短縮させたディスクカートリッジを提供することを課題とする。
【課題を解決するための手段】
【００１１】
請求項１に記載の発明は、第１シェル部材、及び、前記第１シェル部材に対向する第２シェル部材を有し、シェル内に収容されたディスクメディアへのアクセス用の開口が第２シェル部材に形成されているケースと、それぞれ略平板状に形成されて、前記第２シェル部材と前記ディスクメディアとの間に配置され、互いに接離して前記開口を開閉する一対のシャッター部材と、前記シャッター部材と前記第１シェル部材との間に配置され、前記ディスクメディアを回転可能に収容すると共に、ドライブ装置から回動力を受けて回動することにより前記シャッター部材に開閉力を与えるインナロータと、を備え、前記シャッター部材には、それぞれ、前記第２シェル部材側にカム部が設けられ、前記第１シェル部材には、前記シャッター部材に開閉力が作用するように前記カム部をそれぞれ案内する案内部が設けられ、前記案内部は、前記カム部と係合する係合部材と、前記シャッター部材の前記第２シェル部材側の表面に沿って、前記係合部材から前記シャッター部材の外周の外側にまで延び出す腕部材と、前記シャッター部材の外周の外側に設けられ、前記第１シェル部材に前記腕部材を固定する固定部材と、を有することを特徴とする。
【００１２】
ディスクカートリッジは、ドライブ装置に装填されレーザ光で情報が記録再生されるディスクメディアを回転自在なようにケース内に収納している。ディスクカートリッジがドライブ装置に装填されていないときには、ディスクメディアの保護の観点上、この開口を閉じておく必要があり、このためにシャッター部材をケース内に設けている。
【００１３】
請求項１に記載の発明では、このシャッター部材の開閉のために、シャッター部材にカム部を設け、このカム部を案内する案内部を第１シェル部材に設けている。そして、この案内部を構成する上記の固定部材は、シャッター部材の外周側すなわち外周の外側に位置して、上記の腕部材を第１シェル部材に固定している。従って、腕部材と固定部材と第１シェル部材とで断面コの字状の構造が形成されている。
【００１４】
これにより、シャッター部材を外れ難くすることができる。
【００１５】
請求項２に記載の発明は、前記インナロータに支持点を設け、前記シャッター部材を前記支持点回りに回動可能としたことを特徴とする。
【００１６】
これにより、シャッター部材を開閉させる機構を簡素な構造にすることができる。
【００１７】
請求項３に記載の発明は、前記係合部材、前記腕部材、及び前記固定部材が一体的に形成されて、前記固定部材が前記第１シェル部材に嵌め込まれていることを特徴とする。
【００１８】
これにより、ディスクカートリッジの組立てを著しく容易に行うことができる。また、組立ての際、第１シェル部材の内壁面側を上向きにしてシャッター部材の上方から案内部を押圧することにより、カム部と係合部材とを係合させると共に固定部材を第１シェル部材に嵌め込むことができるので、ディスクカートリッジの組立適性が良好である。従って、ディスクカートリッジの組立てにかかる時間を大幅に短縮させることができる。
【００１９】
請求項４に記載の発明は、前記カム部としてスリット状のカム溝を形成し、前記係合部材として前記カム溝に挿通されるカム突起を設けたことを特徴とする。
【００２０】
これにより、カム突起をカム溝に挿通することによりカム部と係合部材とが係合するので、ディスクカートリッジの組立適性を更に良好にすることができる。
【発明の効果】
【００２１】
本発明は、上記構成としたので、構造を簡素にして組立てにかかる時間を短縮させたディスクカートリッジが実現される。
【発明を実施するための最良の形態】
【００２２】
本発明の一実施形態に係るディスクカートリッジ１０について、図１乃至図７に基づいて説明する。なお、各図に適宜示す矢印Ａは、ディスクカートリッジ１０のドライブ装置への装填方向を示しており、便宜上、ドライブ装置への装填方向である矢印Ａにて示す側を前側として説明する。また、矢印Ｂにて示す方向を上側、矢印Ｃにて示す方向を右側とする。
【００２３】
（ディスクカートリッジの全体構成）
図１には、ディスクカートリッジ１０の外観形状が斜視図にて示されており、図２にはディスクカートリッジ１０が分解斜視図にて示されている。これらの図に示される如く、ディスクカートリッジ１０は、円盤状に形成された情報記録再生媒体としてのディスクメディア１２と、上シェル２４と下シェル２６とで構成されディスクメディア１２を回転可能に収容するケース１４と、ディスクメディア１２へアクセスするため下シェル２６に形成された開口１６を開閉可能な一対のシャッター部材１８と、ドライブ装置に回動操作されてシャッター部材１８を駆動し開口１６を開閉させるインナロータ２０と、ディスクメディア１２の不使用時にインナロータ２０の回動を阻止し開口１６の閉塞状態を維持するためのロック部材２２と、を主要構成要素として構成されている。
【００２４】
ディスクメディア１２は、その軸心部に図示しないディスクドライブ装置の回転スピンドル軸に係合保持されるセンタ孔１２Ａを有すると共に、その下面に形成された記録面１２Ｂがカバー層（何れも図示省略）にて被覆保護されている。
【００２５】
記録面１２Ｂは、ディスクメディア１２の下面における外周近傍及びセンタ孔１２Ａ周りの所定範囲を除く部分に環状に形成されており、ディスクメディア１２の下面におけるセンタ孔１２Ａと記録面１２Ｂとの間の領域は、ドライブ装置の回転スピンドル軸がディスクメディア１２を保持するためのチャッキングエリア１２Ｃとされている。なお、本実施の形態では、ディスクメディア１２の直径（外径）は略１２０ｍｍとされている。
【００２６】
（ケース）
ディスクメディア１２を収容するケース１４は、上シェル２４と下シェル２６とを接合して略矩形の扁平容器状に構成されている。具体的には、ケース１４は、平面視で前縁部が左右略対称の円弧状に形成されると共に、後端両角隅部が斜めに切り欠かれたような形状とされており、この形状によってドライブ装置の誤装填を防止するようになっている。
【００２７】
以下、ケース１４について具体的に説明する。
【００２８】
図３に示される如く、上シェル２４は、平面視でケース１４の形状に対応した形状の天板２８と、天板２８の外縁に略沿って下方に立設された周壁３０と、天板２８の互いに対向する一対の角部２９のケース内壁面２８Ｓ側にそれぞれ嵌合され、シャッター部材１８に設けられた後述のカム溝６６を案内する案内部３１と、を備えている。
【００２９】
これらのカム突起３１Ｔは、シャッター部材１８のカム溝６６にそれぞれ入り込んでカム溝６６と共に確動カムを構成し、ケース１４とインナロータ２０との相対回動によってシャッター部材１８に開閉力を生じさせて、シャッター部材１８を開口１６の閉塞位置と開放位置との間で移動させるようになっている。
【００３０】
図２に示すように、案内部３１は、カム溝６６と係合するカム突起３１Ｔと、シャッター部材１８の下シェル側の表面に沿ってカム突起３１Ｔからシャッター部材１８の外周の外側へ延び出す腕部３１Ｓと、腕部３１Ｓの先端部に連続し、カム突起３１Ｔの突出方向と同じ方向へ延び出す延出し部３１Ｃと、が一体的に成形されたものである。
【００３１】
また、上記一対の角部２９のケース内壁面２８Ｓ側には、凹部３３Ｄ（図３参照）を有する突起部３３がそれぞれ形成され、各延出し部３１Ｃの先端側は、凹部３３Ｄに嵌合するボス状の凸部とされている。上シェル２４は、延出し部３１Ｃを凹部３３Ｄに嵌合させた状態でこの案内部３１を有している。また、シャッター部材１８を開閉させても突起部３３の回りに案内部３１が回動しないように、延出し部３１Ｃは四角柱状にされ、凹部３３Ｄの形状も延出し部３１Ｃの先端側と嵌合する形状にされている。
【００３２】
そして、この嵌合状態で取付けられた一対の案内部３１のカム突起３１Ｔは、ハブ孔１６Ａの軸心、より正確にはインナロータ２０の回転中心に対し互いに対称となる位置に配置されている。
【００３３】
天板２８の右端部には、右側の周壁３０よりも右方に張り出した上側溝壁３２が前後方向の略全長に亘り延設されている。この上側溝壁３２は、下シェル２６の後述する下側溝壁４８と共にケース１４の右側部に前後方向に長手でかつ前方及び右方に開口するガイド溝５０を構成するようになっている。
【００３４】
また、天板２８の下面における周壁３０の内側には、底面視で円環状に形成された内壁３４が立設している。ここで、上シェル２４は、内壁３４の内側にディスクメディア１２を収容するようになっており、内壁３４の外周面は、図２に示すインナロータ２０の後述する環状壁７２を周方向に摺動可能とするガイド面とされている。
【００３５】
また、周壁３０には、上シェル２４の右側部の前後方向中央部を切り欠いた切欠き部３０Ａが設けられており、この切欠き部３０Ａが下シェル２６の後述する切欠き部４４Ａと共に、インナロータ２０を外部（ガイド溝５０）に露出させるシャッター操作窓５２を構成するようになっている。
【００３６】
さらに、天板２８の下面における右前角隅部からは、図２に示すロック部材２２を揺動可能に軸支するロック支軸３６が突設されている。このロック支軸３６は周壁３０と内壁３４との間に位置しており、ロック支軸３６の後方でかつ切欠き部３０Ａの前方には、周壁３０を切り欠いて切欠き部３０Ｂが形成されている。切欠き部３０Ｂは、下シェル２６の後述する切欠き部４４Ｂと共に、ロック部材２２の解除操作部８８をガイド溝５０に突出するためのロック解除窓５４を構成するようになっている。
【００３７】
天板２８の下面におけるロック支軸３６の左方には、第１ストッパ３８が前側の周壁３０から連続して立設されており、インナロータ２０の閉塞側の回動規制用とされている。また、天板２８の下面後端近傍における左右方向中央部よりも若干右側部分には、第２ストッパ４０が後側の周壁３０から連続して設けられており、インナロータ２０の開放側の回動規制用とされている。
【００３８】
一方、図２及び図４に示される如く、下シェル２６は、上シェル２４の天板２８に略対応した形状の底板４２と、周壁３０に略対応した形状の周壁４４とを備えている。底板４２には、上記開口１６が設けられている。開口１６は、ディスクメディア１２のセンタ孔１２Ａの外径より大径でかつチャッキングエリア１２Ｃの外径（記録面１２Ｂの内径）よりも若干小径とされた略円形状のハブ孔１６Ａと、ハブ孔１６Ａの左右方向に沿う中心線の前方に連設された略矩形状の記録再生ヘッド用窓部１６Ｂとで構成され、全体として前方に開口する略Ｕ字状に形成されている。
【００３９】
ハブ孔１６Ａは、上シェル２４と下シェル２６とが接合された状態で、内壁３４内に収容されたディスクメディア１２と略同軸となるように配置されている。ハブ孔１６Ａは、上記寸法とされることで、センタ孔１２Ａ及びチャッキングエリア１２Ｃのみを外部に露出し、記録面１２Ｂを外部に露出しない構成とされている。
【００４０】
また、記録面１２Ｂを露出するための記録再生ヘッド用窓部１６Ｂは、その左縁がハブ孔１６Ａの前後方向に沿う接線よりも左方に位置するように拡幅されており、その前部は周壁４４をも切り欠いて下シェル２６の前方にも開口している。
【００４１】
ハブ孔１６Ａには、ドライブ装置の回転スピンドル軸が進入してディスクメディア１２のセンタ孔１２Ａを係合保持しつつ該ディスクメディア１２を回転駆動するようになっており、記録再生ヘッド用窓部１６Ｂには、ドライブ装置の記録再生ヘッドが進入してディスクメディア１２の記録面１２Ｂに対する情報の記録または再生を行なうようになっている。
【００４２】
そして、記録再生ヘッド用窓部１６Ｂが前方にも開口していることによって、記録再生ヘッドが記録面１２Ｂの外周部まで容易にアクセスすることができるようになっている。なお、ハブ孔１６Ａと記録再生ヘッド用窓部１６Ｂとは、互いに独立して設けられても良い。
【００４３】
この底板４２における記録再生ヘッド用窓部１６Ｂの左右両縁部の前端近傍には、それぞれ前端が周壁４４に連続する防塵リブ４６が立設されている。各防塵リブ４６は、その高さがシャッター部材１８の厚みと同等とされており、それぞれの上面をインナロータ２０が摺動するようになっている。また、各防塵リブ４６の後端部は、開口１６を閉塞しているシャッター部材１８にそれぞれ接触するように、それぞれの位置が決められている。
【００４４】
また、底板４２の右端部には、右側の周壁４４よりも右方に張り出した下側溝壁４８が前後方向の略全長に亘り延設されている。この下側溝壁４８が図３に示す上シェル２４の上側溝壁３２と対向して、ケース１４の右側部にガイド溝５０が形成される構成である。
【００４５】
このガイド溝５０は、上シェル２４と下シェル２６との接合によって互いに上下端面を突き当てられた周壁３０、４４の溝底とされており、上記の通りケース１４の前後方向に長手でかつ前方及び右方に開口すると共に本実施の形態では後方にも開口している。
【００４６】
さらに、下シェル２６の右側部における周壁４４には、周壁３０の切欠き部３０Ａに対応して形成された切欠き部４４Ａと、切欠き部３０Ｂに対応して形成された切欠き部４４Ｂとが設けられている。
【００４７】
これにより、上シェル２４と下シェル２６とを接合したケース１４には、ガイド溝５０の溝底における長手方向中央部で開口するシャッター操作窓５２と、シャッター操作窓５２の前方でガイド溝５０の溝底に開口するロック解除窓５４とが形成される構成である。
【００４８】
以上説明した下シェル２６は、周壁４４の上端面を周壁３０の下端面に突き当てた状態で、ビス止めによって上シェル２４に接合されてケース１４を構成している。なお、上シェル２４と下シェル２６とは、ビス止めに代えて、例えば周壁３０、４４を超音波溶着等によって接合しても良い。
【００４９】
（シャッター部材及びその開閉機構）
一対のシャッター部材１８は、それぞれ略半円平板状に形成されており、互いの弦部である突合せ部６０、６２を突き合せて、下シェル２６に形成された開口１６の一部を閉塞可能とされている。
【００５０】
すなわち、一対のシャッター部材１８は、互いの突合せ部６０、６２を突き合せてハブ孔１６Ａ及び記録再生ヘッド用窓部１６Ｂの前端近傍の一部を除く部分を閉塞する閉塞位置（図５参照）と、各突合せ部６０、６２を開口１６の左右の縁部に略一致させて開口１６を開放する開放位置（図７参照）とを取り得るように形成されている。
【００５１】
ここで、閉塞位置に位置する一対のシャッター部材１８は、互いの突合せ部６０、６２を上下に重ね合わせてケース１４内への塵芥の侵入を阻止するようになっている。
【００５２】
具体的には、各シャッター部材１８の突合せ部６０、６２には段部６３が形成されており、該段部６３を境にして長手方向一方側には上面に沿った薄肉部である庇部６５が形成されると共に、他方側には下面に沿った薄肉部である庇部６７が形成されている。
【００５３】
そして、一対のシャッター部材１８が閉塞位置に位置するときには、一方のシャッター部材１８の庇部６５の下側に他方のシャッター部材１８の庇部６７が重ね合わされると共に、一方のシャッター部材１８の庇部６７の上側に他方のシャッター部材１８の庇部６５が重ね合わされるようになっている。各庇部６５、６７の相手方との重ね合わせ面は、該相手方を誘い込むように緩やかな傾斜面とされている。
【００５４】
一方、各シャッター部材１８の弦部の長手方向一端部近傍には、それぞれ軸孔６４が設けられており、各軸孔６４はシャッター部材１８のインナロータ２０への軸支用とされている。また、各シャッター部材１８には、上述したカム突起３１Ｔが入り込むスリット状のカム溝６６がそれぞれ設けられている。
【００５５】
各カム溝６６は、各カム突起３１Ｔと同様に、インナロータ２０の回転中心に対し互いに対称となるように設けられている。また、各カム溝６６は、シャッター部材１８を板厚方向に貫通しており、カム突起３１Ｔとの係合深さを確保するようになっている。
【００５６】
さらに、少なくとも一方のシャッター部材１８には、弧部から張り出した防塵部６８が設けられている。この防塵部６８は、該一方のシャッター部材１８が閉塞位置に配置されたとき、開口１６の右縁側に位置する防塵リブ４６の後端面に当接し底板４２の上面とインナロータ２０の円板部７０（後述）の下面との隙間を埋めるようになっている（図５参照）。
【００５７】
また、この一方のシャッター部材１８における軸孔６４近傍の端部が、閉塞位置に配置されたときに他方の防塵リブ４６の後端面に当接し、底板４２上面と円板部７０下面との隙間を埋めるようになっている。なお、防塵部６８は、各シャッター部材１８にそれぞれ設けても良い。
【００５８】
一方、図２に示すように、インナロータ２０は、円板状に形成された円板部７０と、円板部７０の外周に沿って上方に立設された環状壁７２とを備えている。また、円板部７０には、開口１６とほぼ同じ形状の開口７４が設けられており、開口７４は、その円板部７０の外周側の端部において、環状壁７２の下部を下シェル２６の周壁４４の高さに相当する分だけ切り欠いてインナロータ２０の径方向外側にも開口している。
【００５９】
このインナロータ２０は、上記の通り上シェル２４の内壁３４に周方向に摺動可能に外嵌し、ケース１４に対しディスクメディア１２とは独立して回転可能に支持される構成である。そして、インナロータ２０は、この回転（回動）によって、ケース１４の底板４２との間に配置される一対のシャッター部材１８を、これらの間で摺動させつつ閉塞位置と開放位置との間を移動させるようになっている。
【００６０】
また、円板部７０の下面におけるインナロータ２０の回転中心に対し対称となる２箇所からはそれぞれ支持突起７６が突設されており、各支持突起７６にはそれぞれ異なるシャッター部材の軸孔６４が回動自在に係合している。
【００６１】
すなわち、各シャッター部材１８は、インナロータ２０にそれぞれの支持突起７６廻りの回動自在に軸支されており、それぞれの支持突起７６廻りに回動して閉塞位置と開放位置とを取り得るようになっている。
【００６２】
上記の如く各シャッター部材１８のカム溝６６に案内部３１のカム突起３１Ｔが入り込んでそれぞれ確動カムを構成しており、ケース１４に対するインナロータ２０の相対回動によって、一対のシャッター部材１８が閉塞位置と開放位置との間で駆動されるようになっている。
【００６３】
具体的には、図５に示される如く、一対のシャッター部材１８が閉塞位置に配置されると、インナロータ２０は、その開口７４が開口１６に対し左側に所定角度（略５０°乃至６０°）ずれた位置に回転しており、その円板部７０及び環状壁７２によって開口１６の前部（シャッター部材１８によって閉塞されない部分）を内側から閉塞している。このとき、各カム突起３１Ｔは、カム溝６６内で、軸孔６４から遠い方の端部に入り込んでいる。
【００６４】
この状態から図６に示される如くインナロータ２０をケース１４に対し矢印Ｄ方向に回転すると、各シャッター部材１８は、それぞれのカム溝６６の溝壁がカム突起３１Ｔによって矢印Ｄとは略反対向きの矢印Ｅ方向に押圧され、それぞれの支持突起７６廻りに互いに離間する方向に回転する構成である。
【００６５】
そして、図７に示される如く、インナロータ２０が開口７４をケース１４の開口１６と一致させる位置まで回転すると、各シャッター部材１８の突合せ部６０、６２が開口１６、７４の左右の縁部に略一致して位置し、開口１６が完全に開放される（各シャッター部材１８が開放位置に至る）構成である。この状態では、各カム突起３１Ｔは、カム溝６６内で、軸孔６４から近い方の端部に入り込んでいる。
【００６６】
一方、この開口１６の開放状態からインナロータ２０を矢印Ｄとは反対向きの矢印Ｆ方向に回転すると、上記の動作とは逆の動作によって、一対のシャッター部材１８が閉塞位置（図５に示す状態）に復帰するようになっている。
【００６７】
これらの図５乃至図７から判るように、一対のシャッター部材１８は、ケース１４に対してはインナロータ２０の回動に伴う回動と該インナロータ２０に対する支持突起７６廻りの回動とを重ね合わせた運動を行なうが、シャッター部材１８同士で見ると、互いの突合せ部６０、６２（互いのカム溝６６）を平行に維持したまま互いに接離する構成とされている。
【００６８】
また、図４及び図５に示される如く、インナロータ２０の環状壁７２の外周部における周方向の一部には、被駆動ギヤ部７８が径方向外側に突出して設けられている。被駆動ギヤ部７８は、その一部がシャッター操作窓５２からガイド溝５０内に突出している。
【００６９】
そして、被駆動ギヤ部７８は、上記シャッター部材１８を閉塞位置と開放位置との間で移動させるインナロータ２０の回動範囲において、該ガイド溝５０内を長手方向に移動するドライブ装置側の開閉部材である駆動ラック１００が、常に噛み合い可能となる範囲に設けられている。
【００７０】
本実施形態では、シャッター部材１８を閉塞位置に配置させたときに、ロック部材２２の後述する係合部８６が係合（噛み合い）可能な範囲まで、被駆動ギヤ部７８が設けられている。
【００７１】
これにより、駆動ラック１００がガイド溝５０内をケース１４に対し後方に移動すると、インナロータ２０が矢印Ｄ方向に回転して開口１６が開放され、駆動ラック１００がガイド溝５０内をケース１４に対し前方に移動すると、インナロータ２０が矢印Ｆ方向に回転して開口１６が閉塞される構成とされている。
【００７２】
また、環状壁７２から外側に突出した被駆動ギヤ部７８における矢印Ｆ側の端部は、閉塞側ストッパ部８０とされている。閉塞側ストッパ部８０は、シャッター部材１８を閉塞位置に配置させたときにケース１４の第１ストッパ３８と当接してインナロータ２０が閉塞位置を超えて矢印Ｆ方向に回転することを防止するようになっている（図５参照）。
【００７３】
一方、環状壁７２の外面における被駆動ギヤ部７８に対し矢印Ｄ側に所定距離（角度）だけ離間した位置からは、開放側ストッパ部８２が突設されている。開放側ストッパ部８２は、シャッター部材１８を開放位置に位置させているときにケース１４の第２ストッパ４０と当接してインナロータ２０が開放位置を超えて矢印Ｄ方向に回転することを防止するようになっている（図７参照）。
【００７４】
（ロック部材によるロック機構）
ところで、ロック部材２２は、平面視で略「へ」字状乃至略「く」字状に形成された本体部８４を備えている。本体部８４は、その屈曲部近傍においてケース１４のロック支軸３６に挿通されており、ケース１４に対し該ロック支軸３６廻りに揺動可能に支持されている。
【００７５】
本体部８４の一端部は、インナロータ２０の被駆動ギヤ部７８に噛み合い可能な係合部８６とされており、ロック部材２２は、係合部８６が被駆動ギヤ部７８に噛み合った状態でインナロータ２０のケース１４に対する回動を阻止する構成である。
【００７６】
また、本体部８４の他端部は、該本体部８４のロック支軸３６廻りの回動に伴ってロック解除窓５４からガイド溝５０に対し進退する解除操作部８８とされている。ロック部材２２は、係合部８６が被駆動ギヤ部７８に噛み合った状態で解除操作部８８をガイド溝５０内に突出させるようになっており、ガイド溝５０内を後方に移動する駆動ラック１００によって解除操作部８８が後方へ押圧されると、本体部８４が矢印Ｇ方向に揺動して係合部８６の被駆動ギヤ部７８との噛み合いを解除する構成である（図６参照）。
【００７７】
さらに、本体部８４の屈曲部近傍からは、その係合部８６側部分の前側に並行するように板ばね部９０が延設されている。板ばね部９０は、本体部８４に近接する方向に弾性変形した状態でケース１４の前側の周壁３０に当接しており、本体部８４を矢印Ｇとは反対方向に常に付勢するようになっている。この板ばね部９０の付勢力によって、ロック部材２２は係合部８６と被駆動ギヤ部７８との噛み合いを維持するようになっている。
【００７８】
これにより、不使用時には、インナロータ２０の回動が阻止され、一対のシャッター部材１８による開口１６の閉塞状態が維持される構成である。また、上記の如き駆動ラック１００によるロック解除状態から解除操作部８８と駆動ラック１００との係合が解除されると、ロック部材２２は、板ばね部９０の付勢力によって係合部８６を被駆動ギヤ部７８に噛み合わせるロック状態に復帰するようになっている。
【００７９】
（作用）
次に、上記構成によるディスクカートリッジ１０の作用について説明する。
【００８０】
このディスクカートリッジ１０では、図５に示される如く、保管時や運搬時等の不使用時には一対のシャッター部材１８が閉塞位置に位置して開口１６を閉塞している。この状態でロック部材２２の係合部８６がインナロータ２０の被駆動ギヤ部７８に係合して該インナロータ２０の矢印Ｄ方向への回転が阻止されており、一対のシャッター部材１８が閉塞位置に保持されている。すなわち、開口１６の閉塞状態が維持されている。
【００８１】
また、ディスクカートリッジ１０を使用する際、すなわちディスクメディア１２に情報を記録する際またはディスクメディア１２に記録された情報を再生する際には、ディスクカートリッジを矢印Ａ方向に沿ってドライブ装置に装填する。この装填動作（ディスクカートリッジ１０とドライブ装置との相対移動）に伴って、ドライブ装置の駆動ラック１００がケース１４のガイド溝５０に入り込み、該ガイド溝５０内を相対的に後方へ移動する。
【００８２】
これにより、図６に示される如く、ロック部材２２の解除操作部８８が駆動ラック１００によって押圧され、ロック部材２２は、板ばね部９０の付勢力に抗して本体部８４が矢印Ｇ方向に揺動する。
【００８３】
このため、係合部８６の被駆動ギヤ部７８との係合状態が解除され、インナロータ２０が回動可能状態となる。駆動ラック１００が解除操作部８８との当接状態を維持しつつさらに後方に移動すると、該駆動ラック１００は被駆動ギヤ部７８と噛み合いながらインナロータ２０を矢印Ｄ方向に回転させる。
【００８４】
このインナロータ２０の矢印Ｄ方向への回転によって、一対のシャッター部材１８は、矢印Ｄ方向の回転に追従しつつ、カム溝６６の溝壁がカム突起３１Ｔに押圧されて支持突起７６廻りに矢印Ｅ方向にも回転する。
【００８５】
すなわち、一対のシャッター部材１８が開口１６の開放方向にそれぞれ移動する。そして、ディスクカートリッジ１０が所定深さまでドライブ装置に装填され駆動ラック１００との相対移動がなくなると、図７に示される如く、一対のシャッター部材１８は開放位置に至り、開口１６が完全に開放される。
【００８６】
この状態からインナロータ２０をさらに矢印Ｄ方向に回転しようとすると、該インナロータ２０の開放側ストッパ部８２がケース１４の第２ストッパ４０に当接し、インナロータ２０の開放位置を超えた矢印Ｄ側への回転が阻止される。
【００８７】
次いで、ドライブ装置内ではディスクカートリッジ１０が位置決めされ、この位置決め状態で開口１６のハブ孔１６Ａからはドライブ装置の回転スピンドル軸が進入し、該回転スピンドル軸がディスクメディア１２のセンタ孔１２Ａ（及びチャッキングエリア１２Ｃ）に係合して該ディスクメディア１２を保持する。そして、回転スピンドル軸が回転すると、ディスクメディア１２がケース１４内で非接触で回転駆動される。
【００８８】
また、開口１６の記録再生ヘッド用窓部１６Ｂからはドライブ装置の記録再生ヘッドが進入する。この記録再生ヘッドによって、ディスクメディア１２の記録面１２Ｂに情報が記録され、または記録面１２Ｂに記録された情報が再生される（ディスクメディア１２が使用される）。
【００８９】
ディスクメディア１２の使用後には、ディスクカートリッジ１０がドライブ装置から排出される。この排出動作に伴って、駆動ラック１００がガイド溝５０内を相対的に前方へ移動する。この駆動ラック１００の移動によってインナロータ２０が矢印Ｆ方向へ回転する。このインナロータ２０の矢印Ｆ方向への回転によって、一対のシャッター部材１８は、矢印Ｆ方向の回転に追従しつつ、カム溝６６の溝壁がカム突起３１Ｔに押圧されて支持突起７６廻りに矢印Ｈ方向にも回転し、閉塞側へ移動する（図６参照）。
【００９０】
そして、駆動ラック１００が被駆動ギヤ部７８との噛み合いが解除される位置まで移動すると、図５に示される如く、一対のシャッター部材１８が閉塞位置へ至り、開口１６が完全に閉塞される。
【００９１】
この状態からインナロータ２０をさらに矢印Ｆ方向に回転しようとすると、該インナロータ２０の閉塞側ストッパ部８０がケース１４の第１ストッパ３８に当接し、インナロータ２０の閉塞位置を超えた矢印Ｆ側への回転が阻止される。
【００９２】
駆動ラック１００が前方へ移動してロック部材２２の解除操作部８８との係合状態が解除されると、ロック部材２２の本体部８４は板ばね部９０の付勢力によって矢印Ｇとは反対方向に揺動し、係合部８６が被駆動ギヤ部７８に係合する。これにより、インナロータ２０の回動が阻止され、一対のシャッター部材１８が閉塞位置に保持される初期状態に復帰する。この状態でディスクカートリッジ１０はドライブ装置から完全に排出される。
【００９３】
以上説明したように、本実施形態では、シャッター部材１８のカム溝６６に入り込むカム突起３１Ｔを上シェル２４の案内部３１に設けており、従来のように下シェル２６に設けていない。そして、この案内部３１を構成する延出し部３１Ｃが、シャッター部材１８の外周側（外周の外側）に位置して、腕部３１Ｓに連続すると共に上シェル２４の凹部３３Ｄに嵌合している。従って、腕部３１Ｓと延出し部３１Ｃと上シェル２４とで断面コの字状の構造が形成されている。
【００９４】
これにより、シャッター部材１８が延出し部３１Ｃの外側へ移動することが防止されており、従って、シャッター部材１８を外れ難くしている。
【００９５】
また、カム突起３１Ｔ、腕部３１Ｓ、及び延出し部３１Ｃが一体的に形成されて、案内部３１が上シェル２４に嵌め込まれている。これにより、組立ての際、上シェル２４の内壁面側を上向きにしてインナロータ２０にシャッター部材１８を載せ、目視しながらカム突起３１Ｔをカム溝６６へ挿通させつつ、案内部３１を上方から押圧して延出し部３１Ｃの先端部を凹部３３Ｄに嵌合させることができる。従って、組立適性が著しく良好になり、組立てにかかる時間が大幅に短縮される。
【００９６】
以上、実施形態を挙げて本発明の実施の形態を説明したが、上記実施形態は一形態であり、要旨を逸脱しない範囲内で種々変更して実施できる。例えば、シャッター部材１８にカム突起を設け、案内部３１に、このカム突起に係合するカム溝を有する部材を設けてもよい。
【００９７】
さらに、上記の実施の形態では、一対のシャッター部材１８がインナロータ２０に支持されて該インナロータ２０の回動に伴って互いに平行に移動しつつ開口１６を開閉する構成としたが、本発明は、それぞれ平板状に形成された一対のシャッター部材１８が端部（端面）を重ね合わせて当接することで開口１６を閉塞すれば足りるため、シャッター部材１８の形状や駆動機構等によって限定されることはない。
【００９８】
したがって、例えば、シャッター部材の形状、及び、シャッター部材を開閉するカム機構の構造を変更して、それぞれ平面視矩形状に形成された一対のシャッター部材が開口１６の左右反対向きに移動（接離）して開口１６を開閉するようにしても良く、互いに異形のシャッター部材を異なる方向に移動させて開口１６を開閉するようにしても良い。
【００９９】
さらにまた、上記の実施の形態では、ケース１４の下方にのみ開口１６が形成された構成としたが、本発明はこれに限定されず、例えば、上下両面に記録面１２Ｂが設けられたディスクメディアを収容するケース１４では、天板２８にも一対のシャッター部材１８にて開閉される開口１６を設けても良い。一方、下面のみに記録面１２Ｂが設けられたディスクメディア１２を収容するケース１４では、天板２８にディスクメディア１２の交換を可能とする交換用開口を設けても良い。
【０１００】
また、上記の実施の形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。
【図面の簡単な説明】
【０１０１】
【図１】本発明の実施の形態に係るディスクカートリッジの外観を示す斜視図である。
【図２】本発明の実施の形態に係るディスクカートリッジの分解斜視図である。
【図３】本発明の実施の形態に係るディスクカートリッジを構成する上シェルの底面図である。
【図４】本発明の実施の形態に係るディスクカートリッジを構成するインナロータ及びシャッター部材を上方から見た斜視図である。
【図５】本発明の実施の形態に係るディスクカートリッジの開口閉塞状態を示す下シェルを取り除いて見た底面図である。
【図６】本発明の実施の形態に係るディスクカートリッジの開口の閉塞または開放過程を示す下シェルを取り除いて見た底面図である。
【図７】本発明の実施の形態に係るディスクカートリッジの開口開放状態を示す下シェルを取り除いて見た底面図である。
【図８】従来のディスクカートリッジの分解斜視図である。
【符号の説明】
【０１０２】
１０    ディスクカートリッジ
１２    ディスクメディア
１４    ケース
１６    開口
１８    シャッター部材
２０    インナロータ
２４    上シェル（第１シェル部材）
２６    下シェル（第２シェル部材）
３１    案内部
３１Ｃ    延出し部（固定部材）
３１Ｓ    腕部（腕部材）
３１Ｔ    カム突起
６６    カム溝
７６    支持突起（支持点）
２００    ディスクカートリッジ
２０２    ディスクメディア
２０４    ケース
２０６    開口
２０８    シャッター部材
２１０    インナロータ
２１０Ａ    支持突起（支持点）
【図１】
2005129137.tif 000003
【図２】
2005129137.tif 000004
【図３】
2005129137.tif 000005
【図４】
2005129137.tif 000006
【図５】
2005129137.tif 000007
【図６】
2005129137.tif 000008
【図７】
2005129137.tif 000009
【図８】
2005129137.tif 000010